(57)【要約】【課題】ユーザの録画予約操作を煩雑にすることなく、録画予約時にオートチャプターを設定した場合でも、確実な同時録画を可能にする。【解決手段】コンテンツ記録装置は、入力された映像信号のうち所望のコンテンツの映像信号を記録するための信号処理を行う信号処理モジュールと、映像信号の特徴を解析処理することでチャプター点に関する情報を得るチャプター解析機能部と、録画予約情報よって指定されたコンテンツの映像信号を信号処理モジュールから記録部に与えて記録させると共に、チャプター点に関する情報を映像信号に対応させて記録部に与えて記録させる記録制御機能部とを有する制御モジュールとを具備し、制御モジュールは、記録制御機能部によって複数のコンテンツの記録部への記録が同時に行われる同時録画期間には、チャプター点に関する情報を映像信号に対応させて記録部に与えて記録させるチャプター処理を停止させることを特徴とする。【選択図】図１
2011223458.tif 000002
【特許請求の範囲】
【請求項１】
入力された映像信号のうち所望のコンテンツの映像信号を記録するための信号処理を行う信号処理モジュールと、
前記入力された映像信号の特徴を解析処理することでチャプター点に関する情報を得るチャプター解析機能部と、録画予約情報よって指定されたコンテンツの前記映像信号を前記信号処理モジュールから記録部に与えて記録させると共に、前記チャプター点に関する情報を前記映像信号に対応させて前記記録部に与えて記録させる記録制御機能部とを有する制御モジュールと
を具備し、
前記制御モジュールは、前記記録制御機能部によって複数のコンテンツの前記記録部への記録が同時に行われる同時録画期間には、前記チャプター点に関する情報を前記映像信号に対応させて前記記録部に与えて記録させるチャプター処理を停止させる
ことを特徴とするコンテンツ記録装置。
【請求項２】
前記制御モジュールは、前記チャプター処理を停止させた期間を示す表示を行うための表示制御を行うことを特徴とする請求項１に記載のコンテンツ記録装置。
【請求項３】
前記制御モジュールは、前記コンテンツの時間位置を示す前記チャプター点の表示と前記チャプター処理を停止させた期間を示す表示とを同時に表示させることを特徴とする請求項２に記載のコンテンツ記録装置。
【請求項４】
前記記録機能制御部は、ユーザの録画予約操作に基づいて前記録画予約情報を生成すると共に、予約録画時間が重複する録画予約が既に存在することからチャプターを記録することができないことが録画予約時に予想される場合でも、前記録画予約時にはユーザの録画予約操作に基づいてチャプターを記録するための録画予約情報を生成することを特徴とする請求項１乃至３のいずれか１つに記載のコンテンツ記録装置。
【請求項５】
前記記録機能制御部は、録画予約時に予約録画時間が重複する録画予約が既に存在する場合には、チャプターを記録することができないことを示すメッセージを表示するための表示制御を行うことを特徴とする請求項１乃至４のいずれか１つに記載のコンテンツ記録装置。
【請求項６】
前記制御モジュールは、前記同時録画期間が終了すると、停止させていた前記チャプター処理を再開させるよう制御することを特徴とする請求項１乃至５のいずれか１つに記載のコンテンツ記録装置。
【請求項７】
入力された映像信号のうち所望のコンテンツの映像信号を記録するための信号処理を行う信号処理モジュールと、
前記入力された映像信号の特徴を解析処理することでチャプター点に関する情報を得るチャプター解析機能部と、録画予約情報よって指定されたコンテンツの前記映像信号を前記信号処理モジュールから記録部に与えて記録させると共に、前記チャプター点に関する情報を前記映像信号に対応させて前記記録部に与えて記録させる記録制御機能部とを有する制御モジュールと
を具備し、
前記制御モジュールは、前記録画予約情報によって前記チャプター点の記録が指定されているコンテンツについて前記記録制御機能部によって前記チャプター点に関する情報が記録されない場合には、前記チャプター点の記録がされない期間を示す表示を行うための表示制御を行う
ことを特徴とするコンテンツ記録装置。
【請求項８】
放送信号を受信するチューナの出力を復調して映像信号を出力する復調モジュールと、
前記復調モジュールからの映像信号のうち所望のコンテンツの映像信号を記録するための信号処理を行う信号処理モジュールと、
前記入力された映像信号の特徴を解析処理することでチャプター点に関する情報を得るチャプター解析機能部と、録画予約情報よって指定されたコンテンツの前記映像信号を前記信号処理モジュールから記録部に与えて記録させると共に、前記チャプター点に関する情報を前記映像信号に対応させて前記記録部に与えて記録させる記録制御機能部とを有し、前記記録制御機能部によって複数のコンテンツの前記記録部への記録が同時に行われる同時録画期間には、前記チャプター点に関する情報を前記映像信号に対応させて前記記録部に与えて記録させるチャプター処理を停止させる制御モジュールと、
を具備したことを特徴とするテレビジョン受信装置。
【発明の詳細な説明】
【技術分野】
【０００１】
本発明の実施形態は、録画予約情報に基づき番組を録画するコンテンツ記録装置及びテレビジョン受信装置に関する。
【背景技術】
【０００２】
近年、複数のチューナを備えて、複数コンテンツを同時に受信可能なテレビジョン受信装置が商品化されている。更に、録画機能を有して、内蔵のＨＤＤや外付けＨＤＤ等にコンテンツを録画可能なコンテンツ記録装置を内蔵したテレビジョン受信装置も商品化されている。
【０００３】
コンテンツ記録装置を内蔵したテレビジョン受信装置においては、ユーザによる録画予約も可能である。ユーザは例えばＥＰＧ（電子番組ガイド）の表示を参照しながら、録画予約操作を行う。この操作に対応した録画予約情報がコンテンツ記録装置内に保存される録画予約リストに登録される。コンテンツ記録装置は、録画予約リストを参照し、録画予約リストによって指定されたコンテンツを受信して録画を行う。なお、コンテンツ記録装置においては、複数のコンテンツを同時に録画する同時録画機能を備えたものもある。
【０００４】
また、従来のコンテンツ記録装置においては、オートチャプター機能を備えたものがある。オートチャプター機能は、録画時にチャプター（マーク）を自動的に録画データに挿入する機能であり、シーンの変化等を検出してチャプターを自動挿入することができる。
【０００５】
コンテンツ記録装置において、オートチャプター機能を達成するためには、受信したコンテンツを解析し、例えばシーンチェンジ点やＣＭ区間等の大きな変化のある箇所を特徴点として検出する処理が必要である。このため、オートチャプター機能の実現には、処理能力が比較的高いハードウェアが必要である。
【０００６】
また、コンテンツ記録装置において複数のコンテンツの同時録画を可能にするためには、複数のチューナからの映像信号に対する映像信号処理及び記録処理を行う必要があり、高い処理能力のハードウェアが必要である。
【０００７】
このように、複数コンテンツの同時録画機能及びオートチャプター機能の実現には、夫々高い処理能力のハードウェアが必要であり、ハードウェア規模の制限から、複数コンテンツの同時録画機能とオートチャプター機能とを同時に実現することが不可能なコンテンツ記録装置も存在する。
【０００８】
このような装置において、録画予約に際してオートチャプターを設定するものとする。同時に録画されるコンテンツが１番組の場合には問題はない。しかし、録画時間が重複する複数のコンテンツについてオートチャプターを設定した場合には、重複した録画時間になるとハードウェアの制約から録画が正常に行われなくなることが考えられる。
【０００９】
そこで、コンテンツ記録装置内にオートチャプターが設定可能な録画モジュールと、オートチャプターが設定不能な録画モジュールとの２つの録画モジュールを設けて、録画予約時にユーザに録画モジュールを選択させることで、正常な録画を可能にする方法が考えられる。
【００１０】
しかしながら、この場合には、ユーザが録画モジュールを選択する必要があり、録画予約操作が煩雑になるという欠点がある。
【先行技術文献】
【特許文献】
【００１１】
【特許文献１】特開２００９−１１８０５０号公報
【発明の概要】
【発明が解決しようとする課題】
【００１２】
本発明は、ユーザの録画予約操作を煩雑にすることなく、録画予約時にオートチャプターを設定した場合でも、確実な同時録画を可能にすることができるコンテンツ記録装置及びテレビジョン受信装置を提供することを目的とする。
【課題を解決するための手段】
【００１３】
本発明の実施形態に係るコンテンツ記録装置は、入力された映像信号のうち所望のコンテンツの映像信号を記録するための信号処理を行う信号処理モジュールと、前記入力された映像信号の特徴を解析処理することでチャプター点に関する情報を得るチャプター解析機能部と、録画予約情報よって指定されたコンテンツの前記映像信号を前記信号処理モジュールから記録部に与えて記録させると共に、前記チャプター点に関する情報を前記映像信号に対応させて前記記録部に与えて記録させる記録制御機能部とを有する制御モジュールとを具備し、前記制御モジュールは、前記記録制御機能部によって複数のコンテンツの前記記録部への記録が同時に行われる同時録画期間には、前記チャプター点に関する情報を前記映像信号に対応させて前記記録部に与えて記録させるチャプター処理を停止させることを特徴とする。
【図面の簡単な説明】
【００１４】
【図１】本発明の一実施の形態に係るコンテンツ記録装置が組み込まれたテレビジョン受信装置を示すブロック図。
【図２】録画設定表示を示す説明図。
【図３】録画予約リストの登録内容を説明するための説明図。
【図４】横軸に３０分単位の時間をとり、太線によって各コンテンツ（ｘｘｘ２〜ｘｘｘｘ５）の録画時間を示す説明図。
【図５】チャプター解析機能部１６ｅによるオートチャプター処理を示すフローチャート。
【図６】タイムバー表示を説明するための説明図。
【発明を実施するための形態】
【００１５】
以下、図面を参照して本発明の実施の形態について詳細に説明する。図１は本発明の一実施の形態に係るコンテンツ記録装置が組み込まれたテレビジョン受信装置を示すブロック図である。
【００１６】
図１に示すように、テレビジョン受信装置１０は、地上アナログ／デジタル共用チューナー１３ａ、地上デジタルチューナー１３ｂ及び地上デジタルチューナー１３ｃを備えている。アンテナ１１で受信された放送信号は、これらのチューナー１３ａ〜１３ｃに入力される。地上アナログ／デジタル共用チューナー１３ａは、制御モジュール１６からの制御信号により、地上アナログ放送及び地上デジタル放送の放送信号から指定されたチャンネルの信号を選局する。地上デジタルチューナー１３ｂは、制御モジュール１６からの制御信号により、地上デジタル放送の放送信号から指定されたチャンネルの信号を選局する。同様に、地上デジタルチューナー１３ｃは、制御モジュール１６からの制御信号により、地上デジタル放送に対応した放送信号から指定されたチャンネルの信号を選局する。チューナ１３ａ〜１３ｃによって選局された放送信号は復調モジュール１４に与えられる。
【００１７】
復調モジュール１４は、複数の放送方式に対応した復調処理が可能であり、チューナ１３ａ〜１３ｃの出力を復調する。例えば、復調モジュール１４は、アナログ放送の放送信号についてはアナログ復調処理を行い、デジタル放送の放送信号についてはＰＳＫ（Phase Shift Keying）復調又はＯＦＤＭ（Orthogonal Frequency Division Multiplexing）復調処理等のデジタル復調処理を行う。
【００１８】
復調モジュール１４は、チューナ１３ａ〜１３ｃの出力に対する復調処理によって、所望のコンテンツを含むトランスポートストリームを得る。つまり、復調モジュール１４は、同時に、３つのチャンネル信号を復調することができる。
【００１９】
なお、本実施の形態においては、３つのチューナ１３ａ〜１３ｃを備え、復調モジュール１４が、同時に、３つのチャンネル信号を復調する例について説明するが、チューナを適宜の数設けることにより、復調モジュール１４において同時に復調可能なチャンネル数は適宜設定可能である。また、図１では、チューナとして地上波用のチューナを採用した例を示しているが、衛星放送用、衛星通信用、ＣＡＴＶ用のチューナ等の種々のチューナを採用してもよい。
【００２０】
復調モジュール１４からのトランスポートストリーム（以下、ＴＳという）は、信号処理モジュール１５に供給される。信号処理モジュール１５は、制御モジュール１６からの制御信号によりトランスポートストリーム（ＴＳ）多重化された信号のＴＳ復号処理を行い、所望の番組のデジタルの映像信号及び音声信号をデパケットすることにより得たＰＥＳ（Packetized Elementary Stream）を得る。なお、信号処理モジュール１５は、デジタル放送により送られているセクション情報等も取得するようになっている。
【００２１】
信号処理モジュール１５は、テレビ視聴時には、受信したデジタルの映像信号及び音声信号に対して、選択的に所定のデジタル信号処理を施し、グラフィック処理部１８及び音声処理モジュール２１に出力する。また、信号処理モジュール１５は、コンテンツ再生時には、記録部としての内蔵ＨＤＤ２３から再生信号が供給され、この再生信号に所定のデジタル信号処理を施し、グラフィック処理モジュール１８及び音声処理モジュール２１に出力する。
【００２２】
信号処理モジュール１５は、番組を取得するための各種データや電子番組ガイド（ＥＰＧ）情報，番組属性情報（番組ジャンル等），字幕情報等（サービス情報、ＳＩやＰＳＩ）を制御モジュール１６に出力する。制御モジュール１６は、これら入力された情報に基づいてＥＰＧ，字幕を表示するため画像生成処理を行うことができる。ＯＳＤ生成モジュール１７は、制御モジュール１６に制御されて、画像情報（ＯＳＤ信号）を生成してグラフィック処理モジュール１８に出力する。
【００２３】
グラフィック処理モジュール１８は、信号処理モジュール１５から供給されるデジタルの映像信号と、ＯＳＤ信号生成モジュール１７からのＯＳＤ信号と、データ放送による画像データと、制御モジュール１６により生成されたＥＰＧ，字幕信号とを合成して映像処理モジュール１９に出力する。
【００２４】
例えば、グラフィック処理モジュール１８は、字幕放送による字幕を表示する場合には、制御モジュール１６から出力される字幕情報に基づき、映像信号上に字幕情報を重畳する処理を行う。
【００２５】
グラフィック処理モジュール１８から出力されたデジタルの映像信号は、映像処理モジュール１９に供給される。映像処理モジュール１９は、入力されたデジタルの映像信号を、映像表示器２０で表示可能なフォーマットのアナログ映像信号に変換した後、映像表示器２０に出力して映像表示させるとともに、外部に映像出力として出力する。
【００２６】
また、音声処理モジュール２１は、信号処理モジュール１５から供給されたデジタルの音声信号を、スピーカ２２で再生可能なフォーマットのアナログ音声信号に変換した後、スピーカ２２に出力して音声再生させるとともに、外部に音声出力として出力する。
【００２７】
制御モジュール１６は、テレビジョン受信装置の各部を統括的に制御する。制御モジュール１６は、図示しないＣＰＵ（Central Processing Unit）等を内蔵しており、入力装置２４から操作信号が供給され、操作信号に基づく操作内容が反映されるように各部を制御する。なお、入力装置２４としては、例えばマウス、キーボード、タッチパネル、ボタン、マイク、スイッチ及びレバー等を用いることができる。
【００２８】
制御モジュール１６は、主として、そのＣＰＵが実行する制御プログラムを格納したＲＯＭ（Read Only Memory）１６ａと、該ＣＰＵに作業エリアを提供するＲＡＭ（Random Access Memory）１６ｂと、各種の設定情報及び制御情報等が格納される不揮発性メモリ１６ｃとを利用している。
【００２９】
本実施の形態においては、制御モジュール１６は、録画機能とオートチャプター機能とを実現可能である。図１ではこれらの機能を達成する機能部として記録制御機能部１６ｄ及びチャプター解析機能部１６ｅを示してある。
【００３０】
記録制御機能部１６ｄは、ユーザの録画予約操作に基づく録画予約情報を生成して、録画予約リストに登録する。録画予約リストは、例えば、不揮発性メモリ１６ｃ等に保持されている。記録制御機能部１６ｄは録画予約リストの録画予約情報を読み出し、各部を制御して録画予約情報によって指定されたコンテンツを受信させると共に、内蔵ＨＤＤ２３を制御して、信号処理モジュール１５からの当該コンテンツの映像信号を録画させる。なお、記録制御機能部１６ｄは、同時に複数のコンテンツの録画が可能である。
【００３１】
チャプター解析機能部１６ｅは、信号処理モジュール１５からの映像信号から特徴点（チャプター点）を解析する処理部である。チャプター解析機能部１６ｅは、映像信号から例えばシーンチェンジ点やＣＭ区間等の大きな変化のある箇所をチャプター点として抽出する。チャプター解析機能部１６ｅは、抽出したチャプター点に関する情報を記録制御機能部１６ｄに与える。チャプター解析機能部１６ｅは、録画予約リストによって指定された期間においてチャプター点の抽出を行うようになっている。
【００３２】
記録制御機能部１６ｄは、コンテンツの録画に際して、チャプター解析機能部１６ｅからのチャプター点に関する情報を、コンテンツの映像データに対応させて内蔵ＨＤＤ２３に記録するようになっている。
【００３３】
本実施の形態においては、制御モジュール１６は、記録制御機能部１６ｄにおいて複数の番組を同時に録画する同時録画の期間においては、録画予約リストのチャプターの指定に拘わらず、チャプター解析部１６ｅによる解析処理を停止させると共に、同時録画が理由でオートチャプター機能を実行できない期間（以下、同時録画期間という）を示すチャプター禁止開始点及びチャプター禁止終了点の情報を記録制御機能部１６ｄに与えるようになっている。なお、チャプター解析部１６ｅが解析処理を停止することで、チャプター点を記録するチャプター処理も停止されることになる。
【００３４】
記録制御機能部１６ｄは、コンテンツの録画に際して、チャプター禁止開始点及び終了点に関する情報を、コンテンツの映像データに対応させて内蔵ＨＤＤ２３に記録するようになっている。
【００３５】
制御モジュール１６は、ユーザ操作を受け付けるためのメニュー表示等を表示させてＧＵＩ（Graphical User Interface）処理を行うための画像生成処理も行うようになっている。
【００３６】
また、本実施の形態においては、制御モジュール１６は、コンテンツの録画又は再生時に、記録したチャプター点並びにチャプター禁止開始及び終了点をコンテンツの再生時間に対応させて表示するタイムバー表示を表示させるための画像生成処理を行うようになっている。グラフィック処理モジュール１８は、内蔵ＨＤＤ２３の再生信号に基づく映像信号が処理モジュール１５から供給され、この再生信号に基づく画像とタイムバー表示とを合成する。
【００３７】
なお、本実施の形態においては、録画先として内蔵ＨＤＤ２３に記録する例について説明するが、録画先として外部ＨＤＤ、ＤＶＤ媒体、メモリ媒体等を選択可能に構成することもできる。
【００３８】
次に、このように構成された実施の形態の動作について図２乃至図６を参照して説明する。
【００３９】
いま、ユーザが録画予約を行うものとする。録画予約の操作方法としては種々の方法があり、例えば、ＥＰＧを利用する方法がある。ユーザはＥＰＧ表示を表示させるための操作を行う。制御モジュール１６は、ＥＰＧ表示のための画像生成処理を行う。これにより、グラフィック処理モジュール１８は、ＥＰＧ表示の映像信号を映像処理モジュール１９に出力する。映像処理モジュール１９は、映像表示器２０の表示画面上に、ＥＰＧ表示を表示させる。
【００４０】
制御モジュール１６は、ＥＰＧ表示を利用したＧＵＩ処理によって、ユーザの録画予約のための選択操作を受け付ける。即ち、ユーザがＥＰＧ表示上のコンテンツを指定する操作によって、録画予約の対象となるコンテンツの指定が可能である。制御モジュール１６は、録画予約の対象となるコンテンツが指定されると、当該コンテンツの録画設定のための録画設定表示を映像表示器２０の表示画面上に表示させる。
【００４１】
図２はこの録画設定表示を示す説明図である。図２の録画設定表示３１は、録画設定のための各種メニュー表示３２〜３８を有している。各種メニュー表示３２〜３８に対するＧＵＩ操作によって、メニュー内容を切換えることができ、録画設定の内容を変更可能である。
【００４２】
録画先設定メニュー表示３２は、対象コンテンツの録画先を指定するものである。図２の例では、図示しないＵＳＢ（Universal Serial Bus）端子に接続された録画機器であるハードディスク１を指定することを示している。なお、内蔵ＨＤＤ２３を録画先とする場合には、例えば「内蔵ＨＤＤ」等のメニュー内容を選択する。
【００４３】
録画品質メニュー表示３３は、コンテンツの録画品質を指定するものである。複数の録画品質から適宜の録画品質を選択することができ、図２ではＸＰという録画品質を指定していることを示している。なお、録画品質に応じて録画先の記録メディアにおいて録画可能な時間が決定されるので、制御モジュール１６は、指定された録画品質に応じた録画可能時間を算出して、録画品質メニュー表示３３において提示するようになっている。
【００４４】
マイカテゴリメニュー表示３４は、録画対象コンテンツをユーザの好みのカテゴリ（マイカテゴリ）に属するものとするか否かを指定するものである。図２ではマイカテゴリに指定しないことを示している。
【００４５】
放送時間連動メニュー表示３５は、録画時間を実際の放送時間に追随させて変化させるか否かを指定するものである。図２の例の「連動する」を指定すると、録画対象コンテンツの放送日時の直前に放送されるコンテンツの放送時間の延長により録画対象コンテンツの放送時間が変更になった場合、或いは、録画対象コンテンツの放送時間が延長になった場合等において、実際の放送時間に連動させて録画時間を変化させることができる。
【００４６】
保護メニュー表示３６は、録画したコンテンツを保護するか否かを設定するものである。持ち出し録画メニュー表示３８は、録画コンテンツを外部メディアに記録可能にするか否かを指定するものである。
【００４７】
本実施の形態においては、録画設定表示３１には、オートチャプター設定メニュー表示３７が設けられている。オートチャプター設定メニュー表示３７は、オートチャプターを設定するか否かを指定するためのものであり、本実施の形態においては、オートチャプター設定メニュー表示３７は、録画先、録画品質、放送時間等の状態に拘わらず、全ての録画対象コンテンツの録画設定時に表示されて、オートチャプターの設定をすることができるようになっている。
【００４８】
即ち、本実施の形態においては、オートチャプターの設定が可能な場合と不可能な場合とに応じてユーザが録画操作を変更する必要はない。本実施の形態におけるハードウェア構成では、オートチャプターが不可能となる場合がある。しかし、ユーザはオートチャプターが可能か不可能かを判断する必要もなく、またオートチャプターを可能にするために録画設定を変更する必要もなく、単にオートチャプターを指定するか指定しないかを設定するのみでよい。このため、録画予約時におけるオートチャプターの設定操作が簡単である。
【００４９】
なお、録画対象のコンテンツの種類に応じてチャプターの解析処理を変更することが考えられる。例えば、音楽の前後でチャプターを抽出したり、本編とその他の部分（ＣＭ等）との境界でチャプターを抽出することができる。図２の例においては、「本編」によって、本編とその他の部分との境界でチャプターを抽出する解析処理を選択することを示している。音楽の前後でチャプターを抽出する解析処理を選択する場合には、例えばオートチャプター設定メニュー表示３７から「音楽」等を選択すればよい。また、オートチャプターが不要な場合には、例えばオートチャプター設定メニュー表示３７から「しない」等を選択すればよい。
【００５０】
また、本実施の形態においては、録画予約の時点で予約録画時間が重複する録画予約が存在する場合には、オートチャプター設定メニュー表示３７の近傍において、「同時録画中は、オートチャプターは無効となる」旨のメッセージを表示させてもよい。
【００５１】
ユーザが、設定完了ボタン３９に対するＧＵＩ操作を行うことで、制御モジュール１６の記録制御機能部１６ｄは、録画設定表示３１による設定に基づいて、録画予約情報を生成する。記録制御機能部１６ｄは、生成した録画予約情報を録画予約リストに登録して、例えば不揮発性メモリ１６ｃに記録する。
【００５２】
図３は録画予約リストの登録内容を説明するための説明図である。
【００５３】
図３の録画予約リストは各行が各コンテンツに対する録画予約情報を示しており、各コンテンツの録画時の録画設定を示している。図３のコンテンツｘｘｘｘ１の録画設定は、図２の録画設定表示３１に対応したものである。
【００５４】
図３の例では、コンテンツ１の外に、コンテンツｘｘｘｘ２〜ｘｘｘｘ５に対する録画設定を示している。コンテンツｘｘｘｘ２〜ｘｘｘ５の録画開始時刻〜終了時刻は、夫々１１：００〜１２：００、９：００〜１０：００、０９：３０〜１１：００、１０：１５〜１０：４５である。なお、録画開始時刻及び終了時刻は、ＥＰＧ情報に基づいて取得することが可能である。コンテンツｘｘｘｘ２〜ｘｘｘｘ５の録画には、いずれもオートチャプターが設定されている。
【００５５】
図４は横軸に３０分単位の時間をとり、太線によって各コンテンツ（ｘｘｘ２〜ｘｘｘｘ５）の録画時間を示す説明図である。図４の録画時間は図３の録画予約リストに対応したものである。図４に示すように、録画予約リストによって、複数のコンテンツが同時に録画される同時録画状態が生じることが分かる。
【００５６】
記録制御機能部１６ｄは、録画予約リストに基づいて、コンテンツの予約録画を行う。即ち、記録制御機能部１６ｄは、録画予約リストに登録されているコンテンツについての録画時間に到達すると、チューナ１３ａ〜１３ｃのいずれか１つのチューナに、録画対象のコンテンツの放送信号を選局させる。選局された放送信号は復調モジュール１４において復調され、信号処理モジュール１５によって映像信号に変換される。記録制御機能部１６ｄは内蔵ＨＤＤ２３に、信号処理モジュール１５からの録画対象コンテンツの映像信号を記録させる。
【００５７】
この場合において、記録制御機能部１６ｄは、オートチャプターが設定されている場合には、チャプター解析機能部１６ｅの解析結果に応じてチャプターを映像信号に関連付けて記録するようになっている。
【００５８】
即ち、チャプター解析機能部１６ｅは、録画予約情報によってオートチャプターが設定されている場合には、チャプターの解析を行ってチャプター点に関する情報を記録制御機能部１６ｄに与える。この場合において、本実施の形態においては、チャプター解析機能部１６ｅは、記録制御機能部１６ｄにおいて同時録画が行われているか否かに基づいて、チャプターの抽出を停止するようになっている。なお、チャプター解析機能部１６ｅは、記録制御機能部１６ｄからの情報によって同時録画状態になったか否かを認識可能である。
【００５９】
図５はチャプター解析機能部１６ｅによるオートチャプター処理を示すフローチャートである。チャプター解析機能部１６ｅは、各コンテンツについての録画時間に到達すると、図５のステップＳ１の処理を実行する。即ち、チャプター解析機能部１６ｅは、録画予約リストを読込み、録画対象コンテンツの録画予約によってオートチャプターが設定されているか否かを判断する（ステップＳ２）。
【００６０】
オートチャプターが設定されていない場合には、チャプター解析機能部１６ｅはチャプターの抽出を行わず、記録制御機能部１６ｄは、チャプターを記録することなく、コンテンツの録画を行う。オートチャプターが設定されている場合には、チャプター解析機能部１６ｅはステップＳ３において同時録画が行われているか否かを判定する。同時録画が行われている場合には、チャプター解析機能部１６ｅは、同時録画期間の開始を示すチャプター禁止開始点の情報を記録制御機能部１６ｄに出力する（ステップＳ４）。
【００６１】
例えばコンテンツｘｘｘｘ５の録画開始時間においては、既にコンテンツｘｘｘｘ４の録画が開始されている。従って、この場合には、コンテンツｘｘｘｘ５の録画開始時において、チャプター禁止開始点の情報が記録制御機能部１６ｄに出力される。こうして、記録制御機能部１６ｄは、コンテンツｘｘｘｘ５の録画開始時に映像信号に対応させてチャプター禁止開始点の情報を記録する。
【００６２】
次のステップＳ５，Ｓ６において、チャプター解析機能部１６ｅは、当該コンテンツに対する録画が終了したか否か、同時録画が終了したか否かを判定する。同時録画が終了する前に録画モードが終了すると、チャプター解析機能部１６ｅは、ステップＳ７において同時録画期間の終了を示すチャプター禁止終了点の情報を発生して、記録制御機能部１６ｄに与える。これにより、コンテンツｘｘｘｘ５の録画終了時に映像信号に対応させてチャプター禁止終了点の情報が記録される。
【００６３】
コンテンツｘｘｘｘ４のように、録画開始時に同時録画状態であった場合であって録画開始後に同時録画が終了すると、チャプター解析機能部１６ｅは、処理をステップＳ８に移行してチャプター禁止終了点の情報を発生する。これにより、コンテンツｘｘｘｘ４については、録画開始から３０分経過したタイミングの映像信号に対応させてチャプター禁止終了点の情報が記録される。
【００６４】
同時録画状態が解消されると、処理がステップＳ９に移行して、オートチャプターが実施される。従って、コンテンツｘｘｘｘ４については、１０時以降オートチャプター処理が行われる。チャプター解析機能部１６ｅは、映像信号から例えばシーンチェンジ点やＣＭ区間等の大きな変化のある箇所をチャプター点として抽出する。抽出されたチャプター点に関する情報は、記録制御機能部１６ｄに与えられる。これにより、記録制御機能部１６ｄは、映像信号に対応させてチャプター点の情報を記録する。
【００６５】
次のステップＳ１０，Ｓ１１において、チャプター解析機能部１６ｅは、当該コンテンツに対する録画が終了したか否か、同時録画が開始されたか否かを判定する。当該コンテンツに対する録画の終了前に、同時録画が開始されると、チャプター解析機能部１６ｅは、ステップＳ１２において同時録画期間の開始を示すチャプター禁止開始点の情報を発生し、次のステップＳ１３においてオートチャプターを禁止する。即ち、チャプター解析機能部１６ｅはチャプターの解析処理を停止させる。これにより、コンテンツ記録装置の各部の処理能力を録画処理に割り当てることができ、同時録画を確実に実行することが可能となる。
【００６６】
図４の例では、コンテンツｘｘｘｘ４の録画開始から４５分が経過した時点で、コンテンツｘｘｘｘ５の同時録画が開始されるので、このタイミングにおいて、チャプター解析機能部１６ｅは、チャプター禁止開始点の情報を発生すると共にチャプター解析を停止する。
【００６７】
ステップＳ１４，Ｓ１５において、チャプター解析機能部１６ｅは、当該コンテンツに対する録画が終了したか否か、同時録画が終了したか否かを判定する。同時録画の終了前に当該コンテンツに対する録画が終了すると、チャプター解析機能部１６ｅは、ステップＳ１６においてチャプター禁止終了点の情報を発生する。録画モードの終了前に同時録画が終了すると、チャプター解析機能部１６ｅは、ステップＳ１７において、チャプター禁止終了点を発生して処理をステップＳ９に戻し、オートチャプターを再開する。
【００６８】
例えば、コンテンツｘｘｘｘ３については、１０：００になると、同時録画状態で録画が終了するので、録画終了時に、チャプター禁止終了点の情報が記録される。また、コンテンツｘｘｘｘ４については、１０：４５になると、同時録画が終了するので、このタイミングでチャプター禁止終了点の情報が発生され、以後、オートチャプターが実行される。
【００６９】
ところで、制御モジュール１６は、コンテンツの録画中又は録画されたコンテンツの再生中において、録画の進捗状況や再生の進捗状況をユーザに分かりやすく提示するためのタイムバー表示を表示させることができる。
【００７０】
図６はこのようなタイムバー表示を説明するための説明図である。グラフィック処理モジュール１８は、信号処理モジュール１５から録画中又は再生中のコンテンツの映像信号が与えられ、この映像信号に制御モジュール１６からのタイムバー表示を合成して映像処理モジュール１９に与える。こうして、映像表示器２０の表示画面４１上には、録画中又は再生中のコンテンツの映像が映出されると共に、タイムバー表示４２も表示される。なお、図６のタイムバー表示４２は、図４のコンテンツｘｘｘｘ４の再生時の例を示している。
【００７１】
タイムバー表示４２の長手方向の全域が録画されるコンテンツの全番組時間又は再生するコンテンツの全番組時間に相当する。タイムバー表示４２には、現在の再生位置（時間）を示すロケータ表示４３が表示される。なお、録画中においては、ロケータ表示４３は、コンテンツの全番組時間中における現在の録画位置（時間）を示す。
【００７２】
上述したように、コンテンツｘｘｘｘ４については、録画開始から３０分間及び１０時１５分から３０分間は、同時録画期間である。これらの期間の開始位置に相当するタイムバー表示４２上には、チャプター禁止開始点表示４４ａが表示される。または、同時録画期間の終了位置に相当するタイムバー表示４２上には、チャプター禁止終了点表示４４ｂが表示される。また、制御モジュール１６は、同時録画期間については他の部分とは異なる色（図６では斜線で示す）による同時録画期間表示４４をタイムバー表示４２上に表示させている。
【００７３】
また、コンテンツｘｘｘｘ４については、録画開始の３０分経過後から１５分間及び録画終了の１５分前から録画終了までは、オートチャプターが実行される。制御モジュール１６は、チャプター点において、チャプター点表示４５を表示させる。
【００７４】
なお、図６におけるタイムバー表示４２、ロケータ表示４３、同時録画期間表示４４、チャプター禁止開始点表示４４ａ、チャプター禁止終了点表示４４ｂ、チャプター点表示４５の表示例は一例であり、各表示の仕方としては種々の方法が考えられる。タイムバー表示４２上に、チャプター点の位置を表示すると共に、チャプター禁止開始点とチャプター禁止終了点との間の期間であって、同時録画を理由にチャプターが設定されない期間をユーザに提示可能であればよい。
【００７５】
図６の表示を参照することで、ユーザは、同時録画を理由にチャプター点が設定されない期間が存在すること及びその期間を把握することができる。
【００７６】
このように本実施の形態においては、同時録画期間を認識してオートチャプターの可否を自動的に判断してオートチャプターを実行しており、ハードウェア上の制約から、同時録画とオートチャプターとを無制限に実行することができない装置であっても、ユーザは現在の録画予約状態において、オートチャプターの設定が可能であるか否かを意識することなく、録画予約時にオートチャプターを設定することができる。これにより、オートチャプターの設定に関する煩雑な録画操作を簡単化することができる。
【００７７】
また、仮に録画予約時に録画時間が重複する他の録画予約が存在することから、オートチャプターが不可能であることが分かっている場合であっても、ユーザはそのことを意識することなくオートチャプターの設定を行う可能性が高い。この場合において、録画予約が取り消されて同時録画が解消されると、本実施の形態においてはオートチャプターが実行されることになる。即ち、本実施の形態では、ユーザの簡単な操作で、可能な限りユーザが希望するオートチャプターを実現することができる。
【００７８】
また、本実施の形態おいては、同時録画を理由にオートチャプターが実行されなかったことを、タイムバー表示によって表示することができ、ユーザの利便性に優れている。
【００７９】
なお、上記各モジュールは、ハードウェアで実現するものであってもよく、ＣＰＵ等を使ってソフトウェアで実現するものであってもよい。
【００８０】
また、上記実施の形態は、コンテンツ記録装置をデジタルテレビジョン受信装置に適用した例について説明したが、ＨＤＤレコーダやＤＶＤレコーダ等にも適用することができることは明らかである。
【００８１】
また、本発明は、上記実施の形態に限定されるものではなく、実施段階ではその要旨を逸脱しない範囲で種々に変形することが可能である。また、上記実施の形態には種々の段階の発明が含まれており、開示される複数の構成要件における適当な組み合わせにより種々の発明が抽出され得る。例えば、実施の形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【符号の説明】
【００８２】
１０…テレビジョン受信装置、１３ａ〜１３ｃ…チューナ、１４…復調モジュール、１５…信号処理モジュール、１６…制御モジュール、１６ｄ…記録制御機能部、１６ｅ…チャプター解析機能部、１８…グラフィック処理モジュール、１９…映像処理モジュール、２３…内蔵ＨＤＤ。
【図１】
2011223458.tif 000003
【図２】
2011223458.tif 000004
【図３】
2011223458.tif 000005
【図４】
2011223458.tif 000006
【図５】
2011223458.tif 000007
【図６】
2011223458.tif 000008